(57)【要約】  太陽エネルギを用いた庭照明は、土壌といった基質によって支持される下端部を備えた垂直支持部材を有する。照明素子（７４）及び拡散器を有する照明素子組立品（１２）は、支持部材（１４）の上端部近傍に固定される。集光ユニット（１６）は、支持部材（１４）に対して、照明素子組立品（１２）の下方で離れた位置に固定されており、バッテリと、昼間にバッテリをチャージするための太陽電池（４０）とを有する。集光ユニット（１６）は、一般的に基質の枝葉に対して同一面又は下方に配置される。感光スイッチ（４４）は、バッテリを照明素子組立品に接続し、状態に応じて照明素子をオンさせたり、オフさせたりする。
2008511097.tif 000002
【特許請求の範囲】
【請求項１】
照明素子組立品と、
太陽電池と、
前記照明素子組立品及び前記太陽電池に電気的に接続されたバッテリと、
上端部及び下端部を有する支持部材とを有し、
前記照明素子組立品が前記上端部の近傍に固定され、前記下端部が基質に支持されており、
前記太陽電池及び前記バッテリが、前記支持部材に連結され、前記照明素子組立品から離れた位置に配置されていることを特徴とする照明システム。
【請求項２】
前記太陽電池及び前記バッテリを収容する集光ユニットを有し、
前記集光ユニットは、前記支持部材に装着されていることを特徴とする請求項１に記載の照明システム。
【請求項３】
前記支持部材は、略直線状に形成されていることを特徴とする請求項２に記載の照明システム。
【請求項４】
前記集光ユニットは、前記照明素子組立品に対して、前記支持部材の全長の略４０％以上に相当する距離だけ離れていることを特徴とする請求項３に記載の照明システム。
【請求項５】
前記集光ユニットは、前記支持部材に対して、該集光ユニットを複数の位置で選択的に固定するための締め具を有することを特徴とする請求項２に記載の照明システム。
【請求項６】
前記集光ユニットは、前記支持部材に対して、選択的及び回転可能に固定されることを特徴とする請求項２に記載の照明システム。
【請求項７】
前記集光ユニットに電気的に接続され、前記照明素子組立品から離れた位置に配置された光センサと、
前記バッテリ及び前記照明素子組立品間に電気的に配置され、選択的に開閉可能な状態で前記光センサに電気的に接続されるスイッチとを有することを特徴とする請求項１に記載の照明システム。
【請求項８】
前記照明素子組立品は、前記バッテリに電気的に接続されるＬＥＤを有することを特徴とする請求項１に記載の照明システム。
【請求項９】
前記照明素子組立品は、前記バッテリに電気的に接続される照明素子と、拡散器と、拡散器取付具とを有し、
前記拡散器取付具は、
前記拡散器の一部を支持し、内側境界から外側境界に延びる少なくとも１つの通路を構成する拡散器用容器と、
前記拡散器用容器の下部に位置し、前記支持部材の一部を支持する支持部材用受け部材と、
前記照明素子を支持し、前記拡散器用容器内に位置する照明素子用台座とを有することを特徴とする請求項１に記載の照明システム。
【請求項１０】
前記照明素子を略覆う照明素子用遮蔽部材を有し、
前記照明素子用遮蔽部材は、前記照明素子の略下部に位置し、挿入を容易にさせるための開口部を有することを特徴とする請求項９に記載の照明システム。
【請求項１１】
前記拡散器は、ひび割れガラスで形成され、前記拡散器用容器を係合させるための開口部を備えた装飾体を有することを特徴とする請求項９に記載の照明システム。
【請求項１２】
基質と、
上端部及び、前記基質によって支持される下端部を有する垂直支持部材と、
該垂直支持部材の上端部近傍に固定される照明素子組立品と、
前記垂直支持部材の上端部及び下端部間であって、前記照明素子組立品から離れた位置において、前記垂直支持部材に連結される集光ユニットとを有し、
前記集光ユニットは、バッテリと、該バッテリを前記照明素子組立品に接続する感光スイッチと、前記バッテリに電気的に接続される太陽電池とを有することを特徴とする照明システム。
【請求項１３】
前記集光ユニットは、前記照明素子組立品に対して、前記垂直支持部材の全長の略４０％以上に相当する距離だけ離れていることを特徴とする請求項１２に記載の照明システム。
【請求項１４】
前記照明素子組立品は、前記バッテリに電気的に接続される照明素子と、拡散器と、拡散器用取付具とを有し、
前記拡散器用取付具は、
前記拡散器の一部を支持する開口部を有するとともに、外側境界及び前記開口部間の流路を構成する少なくとも１つの通路を有する拡散器用容器と、
前記拡散器用容器の下部に位置し、前記支持部材の一部を支持する支持部材用受け部材と、
前記照明素子を支持し、前記拡散器用容器内に位置する照明素子用台座とを有することを特徴とする請求項１３に記載の照明システム。
【請求項１５】
前記照明素子を略覆う照明素子用遮蔽部材を有し、
前記照明素子用遮蔽部材は、前記照明素子の略下部に位置し、挿入を容易にさせるための開口部を有することを特徴とする請求項１４に記載の照明システム。
【請求項１６】
前記拡散器は、装着部分を有し、
前記拡散器用容器は、前記装着部分と係合する装着面を有することを特徴とする請求項１４に記載の照明システム。
【請求項１７】
前記拡散器がガラスで形成されていることを特徴とする請求項１６に記載の照明システム。
【請求項１８】
屋外照明システムを用いる方法であって、
照明素子組立品を用意する工程と、
太陽電池を用意する工程と、
前記照明素子組立品及び前記太陽電池に電気的に接続されたバッテリを用意する工程と、
上端部及び下端部を有し、前記上端部近傍に前記照明素子組立品が固定された支持部材を用意する工程と、
前記支持部材に対して、前記太陽電池及び前記バッテリを前記照明素子組立品から離れた位置で連結する工程と、
複数の枝葉が延びた基質を用意する工程と、
前記太陽電池及び前記バッテリを、前記複数の枝葉のうち少なくとも一部分における上部に対して、下部又は同一平面に配置する工程とを有することを特徴とする屋外照明システム利用方法。
【請求項１９】
前記支持部材を前記基質に配置する工程において、前記支持部材の下端部の一部を前記基質に挿入することを特徴とする請求項１８に記載の屋外照明システム利用方法。
【請求項２０】
前記照明素子組立品は、前記複数の枝葉のうち少なくとも一部分における上部に対して離れて配置されていることを特徴とする請求項１８に記載の屋外照明システム利用方法。
【請求項２１】
前記支持部材に連結された前記太陽電池を、第１から第２の方向に調整する工程を有することを特徴とする請求項１８に記載の屋外照明システム利用方法。
【請求項２２】
前記照明素子組立品は、装飾用拡散器を有しており、
第２の装飾用拡散器を用意する工程と、
前記第１の装飾用拡散器を取り外す工程と、
前記第２の装飾用拡散器を前記照明素子組立品に固定する工程とを有することを特徴とする請求項１８に記載の屋外照明システム利用方法。
【請求項２３】
前記第１の装飾用拡散器を取り外す工程において、該拡散器を前記照明素子組立品から回しながら外すことを特徴とする請求項２２に記載の屋外照明システム利用方法。
【請求項２４】
照明素子組立品と、
太陽電池と、
前記照明素子組立品及び前記太陽電池に電気的に接続されたバッテリと、
前記照明素子組立品に固定され、基質によって支持された支持部材とを有し、
前記太陽電池及び前記バッテリは、前記照明素子組立品から離れた位置に配置されていることを特徴とする照明システム。
【請求項２５】
前記支持部材は、フックであり、
前記照明素子組立品は、前記基質の下部に位置していることを特徴とする請求項２４に記載の照明システム。
【請求項２６】
前記支持部材は、略平坦であって、前記基質上に配置される下面を有するベースであることを特徴とする請求項２４に記載の照明システム。
【発明の詳細な説明】
【技術分野】
【０００１】
本発明は、屋外照明装置に関するものであり、より具体的には、太陽エネルギを用いた屋外照明装置に関するものである。
【背景技術】
【０００２】
屋外での照明は、庭や庭園において、重要なアクセントとなる。園芸家や造園家は、
歩道を照明したり、夜間に庭園の存在を強調したりするために、庭園内に多くの光を戦略的に配置するようにしている。幾つかの照明システムは、単に照明を行うように設計されているが、照明していないときでも照明自体を装飾目的として用いているものもある。
【０００３】
従来の多くのシステムにおいて、照明は、地下の電力ケーブルを介して、隣接する住宅に直接配線されている。しかしながら、地下にケーブルを配置することは、耕したり、植えたりして掘るときに、庭や庭園の作業の妨げとなり、過度の労働となる。他のシステムでは、太陽電池を用い、昼間に電気をバッテリに集め、夜間に蓄積したエネルギを照明に供給している。しかしながら、従来のシステムでは、照明システムの目的である主な美観を妨げてしまう。複数の太陽電池は、照明素子の上部又は側面に対して目に付くように装着されているため、昼間においても外部から見えてしまう。時間が経過すると、鉱物が沈着し、衰退によってしばしば太陽電池を変色させてしまう。最終的には、太陽電池は、照明システムに持たせた装飾の品質を低下させてしまう。
【０００４】
上述した点において、照明システム及び周囲の庭園の装飾面を損なうことなく、目に付くように装着される、太陽エネルギを用いた屋外照明システムを提供することは、従来よりも進歩している。
【発明の開示】
【発明が解決しようとする課題】
【０００５】
本発明は、屋外を照明するシステムであり、支持部材と、照明素子組立品と、集光ユニットとを有する。支持部材は、一般的に、土壌基質に挿入される下端部を有する垂直ロッドである。照明素子組立品は、一般的に、装飾用であり、ＬＥＤといった照明素子を有している。照明素子組立品は、支持部材の上端部近傍に固定される。集光ユニットは、照明素子組立品から離れた位置で支持部材に固定される。本発明の一つの実施形態において、照明素子組立品及び集光ユニット間の距離は、支持部材の全長の略４０％以上に相当する。
【０００６】
集光ユニットは、太陽電池及びバッテリを有する。本願において、集光ユニットは、照明システムを支持する基質から成長した枝葉と同一面又は下方に配置される。感光スイッチは、照明素子をバッテリに接続し、弱い光の状態において、照明素子をオン状態とする。感光スイッチは、一般的に、太陽電池の近傍において、集光ユニットに装着されている。集光ユニットは、照明システムを保管したり、太陽エネルギの集光性を向上させたりするために、支持部材に対する位置及び方向が変えられるように、支持部材に対して調整可能に固定されている。
【０００７】
照明素子組立品は、発光素子上に位置し、発光素子からの光を拡散させるための拡散器を有する。本発明の一つの実施形態において、拡散器は、視認性を向上させるために、ひび割れガラスで形成されている。支持部材用装着器は、拡散器及び照明素子を支持部材に固定し、拡散器用容器と、照明素子用台座と、支持部材を支持するためのスリーブとを有している。拡散器用容器は、拡散器の一部を支持し、拡散器を支持部材に固定する。本発明の一つの実施形態において、拡散器に直接固定されたねじ込み付属品は、容器上のねじ込み領域と係合する。拡散器内に蓄積した水分を排出させるために、拡散器用容器に複数の開口部を形成することができる。
【０００８】
照明素子は、拡散器用容器内に配置された照明素子用台座内に位置している。照明素子用台座は、支持部材の支持用のスリーブ側に開口しており、集光ユニットから照明素子に延びるワイヤを支持するための通路を構成する。支持部材の支持用のスリーブは、支持部材の端部を支持し、支持部材用装着器を支持部材に固定する。本発明の実施形態において、照明素子用遮蔽部材を、照明素子及び照明素子用台座上に位置させることができ、照明素子を水分から防ぐことができる。
【０００９】
上述した記載から明らかであるが、本発明は、装飾用の照明素子組立品を目立つように配置するが、太陽電池及び、該太陽電池に電力を供給するバッテリを、控えめに配置された集光ユニット内に収容した、強固で耐候性を有する屋外照明システムを提供する。
【発明を実施するための最良の形態】
【００１０】
本発明の好適な実施形態について、図面を参照しながら以下に説明する。
【００１１】
図１において、照明システム１０は、照明素子組立品１２、支持部材１４、集光ユニット１６を有している。照明素子組立品１２は、一般的に、白熱ランプやＬＥＤといった照明生成手段を有している。照明素子組立品１２は、支持部材１２の上端部近傍において、集光ユニット１６から距離１８の位置に固定されている。一般的な使用において、集光ユニット１６は、この視覚的影響を最小にするために、枝葉等の上側境界上又は、上側境界の下方に位置している。集光ユニット１６は、一般的に、昼間に太陽エネルギを集光して蓄積するための太陽電池及びバッテリ、又は、これと同様の手段を有している。太陽電池及びバッテリは、集光ユニット１６内で一体化させたり、支持部材１４に対してそれぞれ固定したりすることができる。ワイヤ（不図示）は、照明素子組立品１２を集光ユニット１６に接続する。
【００１２】
支持部材１４は、直線状又は曲線状に形成したり、傾斜を持たせたり、非確定的な装飾形状に形成したりすることができる。図示の実施形態において、支持部材１４として、直線状に形成されたロッド２０が用いられている。ロッド２０は、中空にしたり、中空ではない構成にしたりすることができ、照明素子組立品１２を支持するための十分な強度を持たせる断面を有している。ロッド２０としては、一体型のロッドを用いたり、複数の小さな部分から構成したりすることができる。複数の部分は、これらを所定位置で保持する締結具を用いて順にはめ込むことができる。また、複数の部分は、連結部品によって、互いに締結したり、互いに固定したりすることができる。図示の実施形態において、ロッド２０は、耐候性を持たせるために、ステンレス鋼で形成されている。なお、ロッド２０の材料として、アルミニウムや、ポリカーボネート、ポリプロピレン、ポリビニルクロライドといった堅い耐候性プラスチックを用いることもできる。
【００１３】
ロッド２０の下端部は、一般的に土壌又は他の基質に挿入され、挿入を容易にするために、鋭利な先端を有している。鋭利な先端は、ロッド２０と一体的に形成したり、締結、圧入、溶接、同様の装着手段によって固定したりすることができる。他の実施形態において、ロッド２０の下端部は、広い基礎を有するスタンドや、基質上に単に配置される他の構造によって支持することもできる。このような支持機構は、例えば、照明システム１０を、ロッド２０を挿入することができない木製デッキやセメントで形成された庭に配置するときに、用いることができる。
【００１４】
照明システム１０の美観を保持するためには、集光ユニット１６を目立つ照明素子組立品１２から離して配置することが有益である。支持部材１４として、略直線状に形成されたロッド２０を用いた図示の実施形態においては、集光ユニット１６及び照明素子組立品１２間の距離１８がロッド２０の全長の略４０％以上となるように、集光ユニット１６をロッド２０に固定することができる。
【００１５】
他の実施形態において、支持部材１４は、水平方向に延ばすことができる。したがって、集光ユニット１６は、垂直方向の場合と同様に、水平方向において、照明素子組立品１２から離すことができる。例えば、支持部材１４を２つの棒で構成し、一方の棒に照明素子組立品１２を固定し、他方の棒に集光ユニット１４を固定することができる。したがって、照明素子組立品１２を目立って配置させつつ、集光ユニット１６を控えめに配置することができる。また、照明素子組立品１２の位置は、美的観点において選択することができるとともに、集光ユニット１２の位置を光の状態に基づいて選択することができる。
【００１６】
図２において、本実施形態では、他の装飾体が支持部材１４に固定されている。例えば、図２に示す実施形態において、上昇する植物の成長を補助するワイヤ２２を、ロッド２０の長手方向に沿って、らせん形状で固定することができる。同様に、植物をつり下げるフックや、装飾用に作られた鉄等といった他の物を、ロッド２０に固定することができる。
【００１７】
図３において、集光ユニット１６は、様々な枝葉や照明状態に適応できるようになっている。例えば、図示の実施形態において、集光ユニット１６の位置は、垂直方向３０において調整することができる。したがって、高くて薄い枝葉においては、入射する太陽光の量を増加させるために、集光ユニット１６を支持部材１４上の高い位置に固定することができる。また、集光ユニット１６は、方向３２に対して回転可能となっており、太陽エネルギの集光及び蓄積を容易にすることができる。例えば、実線で表したものは、入射光の多くが水平方向に進む状況や、配送及び保存に適した位置である。点線の表示は、入射光が一般的に集光ユニット１６の上部から入射するときの配置位置を示す。また、集光ユニット１６は、方向３４において、支持部材１４周りに回転可能であり、集光ユニット１６を適切な方向に容易に向けることができる。
【００１８】
図４において、集光ユニット１６は、一般的に、ハウジング４２に固定された太陽電池４０を有している。複数のバッテリは、ハウジング４２によって覆ったり、異なる位置において支持部材１４に固定したりすることができる。一般的に、ハウジング４２のうち太陽電池４０と同一面に位置する光センサ４４は、低い光強度において、バッテリ及び照明素子組立品１２間の電気回路を自動的に閉じ状態とする。他の実施形態において、光センサ４４は、集光ユニット１６から分離されており、照明素子組立品１２の近傍や照明素子組立品１２から離れた位置において、支持部材１４に固定される。照明素子組立品１２が光センサ４４から分離している場合において、光センサ４４は、照明素子組立品１２からの光を検出し、照明状態を誤検知する可能性が高くない。しかしながら、照明素子組立品１２からの光は、上述した誤検知を引き起こすための十分な強度を有している。
【００１９】
図５において、ワイヤ５０は、一般的に、集光ユニット１６から照明素子組立品１２に延びている。支持部材１４としての中空ロッド２０を備えた本発明の実施形態において、ワイヤ５０は、ロッド２０内の開口部５２を介して、ロッド２０内を通過して照明素子組立品１２に向かっている。また、ワイヤ５０を、支持部材１４の外周に沿って巻き付けてもよい。望遠鏡型のロッド２０を有する実施形態において、ワイヤ５０をロッド２０周りに巻き付けることにより、ワイヤ５０からの干渉もなく、長さを調整することができる。
【００２０】
入り江５４は、ハウジング４２内に形成されており、昼間に太陽電池４０によって生成され、夕方や夜中に用いるための電気エネルギを蓄積するためのバッテリを支持する。また、バッテリを、照明素子組立品１２内に配置することができる。このような実施形態において、ワイヤ５０は、太陽電池４０に接続され、電気エネルギをバッテリに供給する。本実施形態において、回路基板は、ハウジング４２内に配置されており、バッテリからの電圧やバッテリへの電圧、照明素子組立品１２への電圧を整流する。また、回路基板には、光センサ４４の出力が入力され、この出力が低い光レベルを示すときには、照明素子組立品１２をオン状態とし、出力が高い光レベルを示すときには、照明素子組立品１２をオフ状態とする。
【００２１】
集光ユニット１６の位置や向きは、Ｕ形状のクランプ５６によって容易に様々に変化させることができる。ネジやボルト等のＵ字状の支持締結具６０の腕部５８は、選択的に締め付けられて、クランプ５６をロッド２０に固定する。ハウジング４２に形成されたフランジ６２は、腕部５６間に位置させることによって、固定することができる。本実施形態において、締結具６０の一方は、フランジ６２を介して延びており、集光ユニット１６の向きを調節するときの回転点を構成する。操作において、締結具６０を緩めることによって集光ユニット１６の位置及び向きの変更が許容され、締め付けることによって更なる移動が阻止される。クランプ５４は、一般的に、開口部５２の近傍において、ロッド２０に固定される。本願において、クランプ５４は、開口部５２上に固定され、汚染物質の進入を阻止するとともに、開口部５２を見えにくくしている。
【００２２】
本実施形態において、オン／オフスイッチ６４は、ハウジング４２に固定されている。オン／オフスイッチ６４は、バッテリ及び照明素子組立品１２間に配置されており、光センサ４４の出力に拘わらず、使用者が照明素子組立品を任意にオフ状態とすることができる。
【００２３】
図６において、照明素子組立品１２は、拡散器７０と、支持部材用装着器７２と、照明素子７４とを有している。拡散器７０は、一般的に、照明素子７４からの光を散乱させる。拡散器７０としては、照明素子７４上に配置可能な球状又は他の三次元形状に形成することができる。外周面及び内周面の一方又は両方は、着色したり、織り込んだり、処理したりすることにより、拡散器７０の拡散特性を向上させることができる。図示の実施形態において、拡散器７０は、ひび割れガラスで形成されている。ひび割れガラスを用いれば、ガラス内に形成された多くの微細なクラックにおいて、照明素子７４からの光を集光させたり、視認性を最大にしながら、すばらしい視覚効果を増加させたりすることの利点がある。ＬＥＤとしての照明素子７４は、比較的低い光出力を有するため、光の視認性を増加させる手段からの利益を受ける。外面又は内面を単につや消し等にした場合には、照明素子７４からの光がひび割れガラスよりも大きな領域において散乱して、視認性が低くなる。
【００２４】
支持部材用装着器７２は、一般的に、拡散器用容器７６と、支持部材の支持用のスリーブ７８と、照明素子用台座８０とを有している。拡散器用容器７６は、拡散器７０の一部又は、拡散器７０に固定された装着器８２と合致する。拡散器７０又は装着器８２は、容器７６周り、容器７６内に密着したり、容器７６内に形成された台座上に配置されたりする。図示の実施形態において、容器７６は、外壁８４によって形成された環状のくぼみであり、外壁８４は照明素子用台座８０を囲んでいる。容器７６は、外壁８４の内面上に形成された締結具８８と合致する締結具８６を有する、チューブ状の装着器８２又は、拡散器７０と一体的なチューブ状の構造と合致する。締結具８８は、内壁８４を覆ったり、締結具８６を保持するための十分な部分的締結部としたりすることができる。また、装着器８２を、圧入又は接着によって、容器７６に固定することができる。
【００２５】
装着器８２や他の構造によって、拡散器７０を拡散器用容器７６に締結固定すれば、使用者は、照明システム１０の外観を容易にカスタマイズすることができる。例えば、季節で現存する花に合致させたり、次回の休暇に合致させる題目を持たせたりした拡散器７０を、容易に容器７６の代わりとすることができる。
【００２６】
拡散器７０内に蓄積した雨等は、拡散器７０内の水となり、変色したり、汚れたり、鉱物が蓄積したり、照明素子７４を劣化させたりしてしまう。したがって、複数の開口部９０を容器７６、一般的には、容器７６の下側部分に形成することができる。図示の実施形態において、複数の開口部９０は、外壁８４の下側部分に形成されている。また、図６に示す開口部８８は、締結具８８を容易に形成するために、製造工程において、くさびを挿入することができる。
【００２７】
装着器８２は、接着、圧入、締結等によって拡散器７０に固定される。図示の実施形態において、装着器８２の上部近傍に形成された台座９２は、拡散器７０内に形成された開口部内に密接する。台座９２上に配置された接着剤は、拡散器７０を台座９２に固定させる。
【００２８】
支持部材の支持用のスリーブ７８は、一般的に、支持部材１４の上端部の一部を支持する。図示の実施形態において、ロッド２０は、スリーブ７８内に挿入されるが、幾つかの実施形態では、スリーブ７８がロッド２０内で密接する。ロッド２０は、接着、圧入、他の締結手段によって、スリーブ７８に固定される。スリーブ７８は、一般的に、支持部材用装着器７２を介して、照明素子用台座に延びており、ワイヤ５０を支持するための通路を構成する。
【００２９】
図６で言及したが、図７において、図示の実施形態では、照明素子用台座８０は、ＬＥＤが装着されたＬＥＤ回路基板１００としての照明素子７４を支持している。ＬＥＤは、黄色としたり、ＬＥＤから出力される他の色としたりすることができる。本実施形態において、ＬＥＤを覆う蛍光は、ＬＥＤによって出力される波長とは異なる波長を有する光を発生させる。回路基板１００は、一般的に、回路基板１００から延びるリード１０２を有している。リード１０２は、ＬＥＤ装着板１０６内に形成された開口部１０４を介して延びている。装着板１０６は、接着、他の固定手段によって、照明素子用台座８０内に固定されている。本願において、ワイヤ５０は、装着板１０６を照明素子用台座８０に固定する前に、リード１０２に接続される。照明素子用台座８０は、一般的に、支持部材の支持用のスリーブ７８に開口しており、支持部材用装着器７２を介した通路を構成し、ワイヤ５０を支持する。透明な半球体といった、照明素子用遮蔽部材１０８（図６に示す）は、照明素子７４上に配置され、耐候性を有している。図示の実施形態において、遮蔽部材１０８は、照明素子７４及び照明素子用台座８０の周りで密接し、接着剤又は圧入によって固定される。本実施形態において、遮蔽部材１０８は、支持部材用装着器７２に対する外壁８４の装着位置の近傍に向かって下側に延びており、更なる保護を構成している。
【００３０】
図８において、本実施形態では、支持部材１４として、照明素子組立品１２を支持したり、照明素子組立品１２と一体的に形成されたりしたスタンド１２０や基体１２０を用いている。本実施形態において、集光ユニット１６は、基体１２０を支持するテーブル１２２といった、支持部材１４以外の構造に固定することができる。ワイヤ５０は、一般的に、集光ユニット１６から照明素子組立品１２に延びる十分な長さを有している。集光ユニットは、テーブル１２２又は、他の支持構造上に、離散的に配置することができる。例えば、集光ユニットは、ベルクロ（ＶＥＬＣＲＯ）によってテーブル１２２の下側に固定したり、ストラップによってテーブル１２２の脚に固定したりすることができる。
【００３１】
図９及び図１０において、他の実施形態では、支持部材１４として、木の枝や家のひさしといった支持構造１３２から照明素子組立品１２をつり下げるためのフック１３０を用いている。同様に、集光ユニット１６は、フック１３４や他の締結具によって支持構造に固定することができる。本願において、集光ユニット１６は、照明素子組立品１２から離れた位置に配置することができる。複数の照明素子組立品１２のうち、フック１３０からつり下げられたそれぞれは、図１０に示すように、ワイヤ５０によって１つの集光ユニット１６に連結されている。このような実施形態における拡散器７０としては、アジアやラテンアメリカの文化において一般的な提灯を用いることができる。
【００３２】
上述したように、本発明の実施形態について説明したが、本発明の精神及び範囲から外れない限り、多くの変更を加えることができる。したがって、本発明の範囲は、本実施形態によって制限されるものではない。本発明は、特許請求の範囲の記載に基づいて決定される。本発明における排他的権利及び特権である実施形態は、特許請求の範囲の記載に基づいて定義される。
【図面の簡単な説明】
【００３３】
【図１】本発明の照明システムの斜視図である。
【図２】本発明の実施形態である照明システムの斜視図である。
【図３】本発明における集光ユニットの側面図である。
【図４】本発明において、集光ユニットにおける上側領域を示す斜視図である。
【図５】本発明において、集光ユニットにおける下側領域を示す斜視図である。
【図６】本発明において、照明素子の断面斜視図である。
【図７】本発明において、ＬＥＤの装着システムを示す分解図である。
【図８】平坦面上に配置される支持部材を有する照明システムの側面図である。
【図９】支持構造から照明素子組立品をつり下げることのできる支持部材を備えた照明システムの正面図である。
【図１０】つり下げられる複数の照明素子組立品を備えた照明システムの正面図である。
【図１】
2008511097.tif 000003
【図２】
2008511097.tif 000004
【図３】
2008511097.tif 000005
【図４】
2008511097.tif 000006
【図５】
2008511097.tif 000007
【図６】
2008511097.tif 000008
【図７】
2008511097.tif 000009
【図８】
2008511097.tif 000010
【図９】
2008511097.tif 000011
【図１０】
2008511097.tif 000012
【国際調査報告】
2008511097.tif 000013
2008511097.tif 000014
2008511097.tif 000015